(57)【特許請求の範囲】
【請求項１】
乗りかごのかご床と、前記かご床の縁に配置され前記かご床から上側に直立する部分と前記かご床に平行に前記乗りかごの内側に曲げられた部分を有する床フレームと、前記床フレームの前記曲げられた部分と前記かご床の間に固定された幅木と、前記乗りかごの側板と、前記側板の裏面に配置され前記床フレームの前記曲げられた部分まで延びた側板裏面パネルと、前記側板の上部を被う天井板と、前記床フレームの前記曲げられた部分と前記側板の前記側板裏面パネル側に曲げられた側板下部との間に形成され前記乗りかご内に通じる換気隙間と、前記側板と前記側板裏面パネルとの間に形成された喚気通路と、前記側板下部に設けられた換気穴と、前記側板裏面パネルに設けられた換気穴とよりなり、前記側板下部に設けた前記換気穴と前記換気通路と前記側板裏面に設けた前記換気穴とによってラビリンス構造を形成すると共に、前記換気通路内に吸音材を貼り付けたことを特徴とするエレベーター乗りかご。
【発明の詳細な説明】
【技術分野】
【０００１】
本発明は、複数の階床間を走行するエレベーター乗りかごに係り、特にその乗りかごの構造に関する。
【背景技術】
【０００２】
近年、ビルの高層化に伴うエレベーターの高速化により、エレベーター昇降時に生じる騒音が乗りかご内の乗客に不快感を与えるという問題が顕在化しつつある。
【０００３】
従来から、乗りかご内の換気を行なう為に、乗りかごの床フレームと側板との間に換気隙間を設けているが、この換気隙間にシールを挟み込むことで乗りかご内の騒音を低減することが知られている。更なる騒音対策として、例えば特許文献１には、前記床フレームと側板との間の隙間をラビリンス構造で形成することが提案されている。
【先行技術文献】
【特許文献】
【０００４】
【特許文献１】特開２００９−７０９３号公報
【発明の概要】
【発明が解決しようとする課題】
【０００５】
乗りかご内の騒音対策として、床フレームと側板との間の換気隙間にシールを挟み込む方法を採用してしまうと、乗りかご内の自然換気が不足することから逆に乗客の不快感を増すおそれがあり、また、床フレームと側板との間にラビリンス構造を採用するだけでは騒音対策として不十分であった。
【０００６】
本発明の目的は、乗りかご内の自然換気を確保しつつ乗りかご内の騒音を低減することで、乗りかご内環境に優れたエレベーター乗りかごを提供することにある。
【課題を解決するための手段】
【０００７】
前記目的を達成するための本発明の特徴は、エレベーターの乗りかごにおいて、乗りかごのかご床と、前記かご床の縁に配置され前記かご床から上側に直立する部分と前記かご床に平行に前記乗りかごの内側に曲げられた部分を有する床フレームと、前記床フレームの前記曲げられた部分と前記かご床の間に固定された幅木と、前記乗りかごの側板と、前記側板の裏面に配置され前記床フレームの前記曲げられた部分まで延びた側板裏面パネルと、前記側板の上部を被う天井板と、前記床フレームの前記曲げられた部分と前記側板の前記側板裏面パネル側に曲げられた側板下部との間に形成され前記乗りかご内に通じる換気隙間と、前記側板と前記側板裏面パネルとの間に形成された喚気通路と、前記側板下部に設けられた換気穴と、前記側板裏面パネルに設けられた換気穴とよりなり、前記側板下部に設けた前記換気穴と前記換気通路と前記側板裏面に設けた前記換気穴とによってラビリンス構造を形成すると共に、前記換気通路内に吸音材を貼り付けたことで、乗りかご内の喚起を維持しつつ、乗りかご内に伝わる外部からの騒音を低減したところにある。
【発明の効果】
【０００８】
本発明によれば、乗りかご内の自然換気を維持しつつ、換気隙間から乗りかご内に伝わる外部からの騒音を低減することができるので、乗りかご内環境に優れた乗り心地のよいエレベーターサービスに貢献することができる。
【図面の簡単な説明】
【０００９】
【図１】本発明を適用するエレベーター装置の全体図である。
【図２】本発明を適用するエレベーター乗りかごの断面図である。
【図３】本発明の第１の比較例に係るエレベーター乗りかごの下部詳細断面図ある。
【図４】本発明の第１の実施例に係るエレベーター乗りかごの下部詳細断面図ある。
【図５】本発明の第２の比較例に係るエレベーター乗りかごの下部詳細断面図ある。
【図６】本発明の第２の実施例に係るエレベーター乗りかごの下部詳細断面図ある。
【図７】本発明の第３の実施例に係るエレベーター乗りかごの下部詳細断面図ある。
【発明を実施するための形態】
【００１０】
以下、図を参照して本発明の実施の形態を詳細に説明する。
【実施例１】
【００１１】
図１は本発明を適用するエレベーター装置の全体図である。エレベーター装置１は建屋２に設けられた昇降路３の内部を上下に昇降するエレベーターの乗りかご４と釣合おもり５を有しており、乗りかご４と釣合おもり５を連結するロープ６が昇降路上部に設置されたシーブ７とプーリ８に巻きつけられている。シーブ７が回転すると、ロープ６が駆動され、乗りかご４と釣合おもり５が互いに反対方向に昇降される。
【００１２】
図２は図１中のエレベーターの乗りかご４の断面図である。乗りかご４はかご床９と、前記かご床９の縁に配置された床フレーム１０と、前記床フレーム１０に固定された幅木１１と、前記床フレーム１０に下部を固定された側板１２と、前記側板１２の上部を被う天井板１３を有した構造である。
【００１３】
図３は図２のＡ部に相当し、本発明の第１の比較例に係る乗りかごの下部詳細断面図ある。かご床９の周辺に配置された床フレーム１０はかご床９の表面に接した部分１０ａ、１０ａの乗りかご内側寄りの端からかご床に鉛直な方向に曲げられた部分１０ｂ、１０ｂの１０ａと接続していない方の端からかご床９に平行で乗りかご外側に向かって曲げられた部分１０ｃを含む形状をしている。
【００１４】
幅木１１は床フレーム１０の１０ｂ、１０ｃに沿う形状をしており、床フレーム１０の乗りかご内側に接して固定されている。側板１２は１０ｃと平行になるように曲げられた部分１２ａと、鉛直な部分１２ｂと、１２ｂの１２ａと接続していない方の端が１２ａと平行に曲げられた部分１２を含む形状をしている。
【００１５】
また、側板１２の乗りかご外側には、側板裏面パネル１８が固定されている。床フレーム１０と側板１２は１０ｃと１２ａが平行になるように、スペーサー１４を挟んだ状態で固定されている。この時、床フレーム１０と側板１２の間に換気隙間１５が形成される。
【００１６】
図４は図２のＡ部に相当し、本発明の第１の実施例に係るエレベーター乗りかごの下部詳細断面図であって、本発明で提案する乗りかご外部からの騒音を低減する喚気通路２３を換気隙間１５に取付けた図である。
【００１７】
図４に示す乗りかご構造を有するエレベーターについて、１０ａの上側に吸音材１６を、１０ｂの乗りかご外側に吸音材１７を貼付ける。さらに、側板裏面パネル１８を鉛直下方に伸ばし吸音材１９を貼付けることで、ラビリンス構造を形成し、換気隙間から乗りかご内へ入ってくる外部からの騒音を低減する。
【実施例２】
【００１８】
本実施例では床フレームに関して、実施例１とは異なる構造となっている。図５の比較例において、かご床９の周囲に配置された床フレーム２０はかご床９の周囲に直立する部分２０ａとかご床９と平行に乗りかごの内側に向かって曲げられた部分２０ｂを含む形状をしている。幅木２１は２０ａと平行な部分２１ａと２０ｂと平行な部分２１ｂを含む形状をしており、床フレーム２０との間に空間２２を形成するように固定されている。
【００１９】
床フレーム２０と側板１２は２０ｂと１２ａが平行になるように、スペーサー１４を挟んだ状態で固定されている。この時、床フレーム２０と側板１２の間に換気隙間１５が形成される。
【００２０】
また、側板裏面パネル２４を床フレーム２０と接触する長さにすることにより、換気隙間１５の乗りかご外側は側板裏面パネル２４によって塞がれている。また、側板１２と側板裏面パネル２４によって、空間２５が形成される。
【００２１】
図６は本発明の第２の実施例に係る乗りかごの下部詳細断面図あり、図５に示す乗りかごの構造において、換気穴２６，２７を設けることで喚気通路２３を形成している。このとき、床フレーム２０ａの乗りかご内側に吸音材２８を、幅木２１ａの乗りかご外側に吸音材２９を、幅木２１ｂの上側に吸音材３０をそれぞれ貼付ける。これにより、喚気通路２３にラビリンス構造を構成し、換気隙間１５から乗りかご内に入ってくる外部からの騒音を低減することができる。
【実施例３】
【００２２】
図７は本発明の第３の実施例に係る乗りかごの下部詳細断面図あり、図５に示す乗りかごの構造において、側板１２ａに換気穴３１が複数開けられている。側板裏面パネル２４にも換気穴３２が複数開けられている。
【００２３】
このとき、側板１２ｃの下側に吸音材３３を、側板１２ｂの乗りかご内側に吸音材３４を、側板裏面パネル２４の乗りかご内側に吸音材３５をそれぞれ貼付ける。これにより、換気通路２３にラビリンス構造を構成し、換気隙間１５から乗りかご内に入ってくる外部からの騒音を低減することができる。
【符号の説明】
【００２４】
１・・・エレベーター装置、２・・・建屋、３・・・昇降路、４・・・乗りかご、５・・・釣合おもり、６・・・ロープ、７・・・シーブ、８・・・プーリ、９・・・かご床、１０・・・床フレーム、１１・・・幅木、１２・・・側板、１３・・・天井板、１４・・・スペーサー、１５・・・換気隙間、１６，１７・・・吸音材、１８・・・側板裏面パネル、１９・・・吸音材、２０・・・床フレーム、２１・・・幅木、２２・・・空間、２３・・・換気通路、２４・・・側板裏面パネル、２５・・・空間、２６，２７・・・換気穴、２８〜３０・・・吸音材、３１，３２・・・換気穴、３３〜３５・・・吸音材
【図１】
0005502786.tif 000002
【図２】
0005502786.tif 000003
【図３】
0005502786.tif 000004
【図４】
0005502786.tif 000005
【図５】
0005502786.tif 000006
【図６】
0005502786.tif 000007
【図７】
0005502786.tif 000008